(57)【要約】【課題】  止めねじを螺着する際に、ダイヤフラムに形成された止めねじの挿通孔の付近に、ひずみが生じることを防止し、シール性を確保することができるリザーバを提供する。【解決手段】  ダイヤフラムプレート７は、外縁部７ｃに、止めねじ９を挿通させるねじ挿通孔７ｄを形成すると共に、リザーバ本体５ｂの内壁の内側に突出し、ダイヤフラム８の変形をガイドするガイドリブ７ｅと、ガイドリブ７ｅとねじ挿通孔７ｄとの間に形成され、ダイヤフラム８側に突出するダイヤフラム押えリブ７ｆとを備えている。【選択図】  図１
2015217904.tif 000002
【特許請求の範囲】
【請求項１】
リザーバ本体と該リザーバ本体の上部開口縁に被着するキャップとの間に、前記リザーバ本体内の作動液の液面に追従するダイヤフラムと、該ダイヤフラムの上部側を覆うダイヤフラムプレートとを介装し、前記キャップと前記ダイヤフラムプレートと前記ダイヤフラムとに挿通した複数の止めねじを、前記リザーバ本体の前記上部開口縁に螺着することにより、前記リザーバ本体の前記上部開口縁に前記ダイヤフラムと前記ダイヤフラムプレートと前記キャップとを取り付けたリザーバにおいて、
前記ダイヤフラムプレートは、外縁部に形成される前記各止めねじの挿通孔と、前記リザーバ本体の内壁の内側に突出し、前記ダイヤフラムの変形をガイドするガイドリブと、該ガイドリブと前記各挿通孔との間に形成され、前記ダイヤフラム側に突出するダイヤフラム押えリブとを備えていることを特徴とするリザーバ。
【請求項２】
リザーバ本体と該リザーバ本体の上部開口縁に被着するキャップとの間に、前記リザーバ本体内の作動液の液面に追従するダイヤフラムと、該ダイヤフラムの上部側を覆うダイヤフラムプレートとを介装し、前記キャップと前記ダイヤフラムプレートと前記ダイヤフラムとに挿通した複数の止めねじを、前記リザーバ本体の前記上部開口縁に螺着することにより、前記リザーバ本体の前記上部開口縁に前記ダイヤフラムと前記ダイヤフラムプレートと前記キャップとを取り付けたリザーバにおいて、
前記ダイヤフラムプレートは、外縁部に形成される前記各止めねじの挿通孔と、前記リザーバ本体の内壁の内側に突出し、前記ダイヤフラムの変形をガイドするガイドリブと、該ガイドリブと前記各挿通孔との間に形成され、前記ダイヤフラム側に突出する第１のダイヤフラム押えリブと、前記ガイドリブよりも外側で、且つ、隣り合う前記挿通孔の間の一部に形成される単数または複数の第２のダイヤフラム押えリブとを備えていることを特徴とするリザーバ。
【請求項３】
リザーバ本体と該リザーバ本体の上部開口縁に被着するキャップとの間に、前記リザーバ本体内の作動液の液面に追従するダイヤフラムと、該ダイヤフラムの上部側を覆うダイヤフラムプレートとを介装し、前記キャップと前記ダイヤフラムプレートと前記ダイヤフラムとに挿通した複数の止めねじを、前記リザーバ本体の前記上部開口縁に螺着することにより、前記リザーバ本体の前記上部開口縁に前記ダイヤフラムと前記ダイヤフラムプレートと前記キャップとを取り付けたリザーバにおいて、
前記ダイヤフラムプレートは、外縁部に形成される前記各止めねじの挿通孔と、前記リザーバ本体の内壁の形状に沿って該内壁よりも内側に突出し、前記ダイヤフラムの変形をガイドするガイドリブと、該ガイドリブよりも外側に設けられ、前記ダイヤフラム側に突出するダイヤフラム押えリブとが形成され、該ダイヤフラム押えリブは、無端状で、且つ、前記外縁部の全体に亘って形成されると共に、前記各挿通孔が設けられた位置では、前記各挿通孔と前記ガイドリブとの間に形成されることを特徴とするリザーバ。
【請求項４】
前記ダイヤフラム押えリブは、前記各挿通孔が設けられた位置では、前記挿通孔の湾曲に沿って、前記ダイヤフラムプレートの中央部側に湾曲して形成されることを特徴とする請求項１乃至３のいずれか１項記載のリザーバ。
【請求項５】
前記ダイヤフラム押えリブの高さ寸法は、前記ガイドリブの高さ寸法よりも短いことを特徴とする請求項１乃至４のいずれか１項記載のリザーバ。 
【発明の詳細な説明】
【技術分野】
【０００１】
本発明は、作動液を貯留するリザーバに関し、詳しくは、リザーバ本体と、該リザーバ本体の上部開口縁に被着するキャップとの間に、作動液の液面に追従するダイヤフラムと、該ダイヤフラムの上部側を覆うダイヤフラムプレートとを介装したリザーバに関する。
【背景技術】
【０００２】
従来、車両用液圧マスタシリンダのリザーバは、リザーバ本体の該リザーバ本体の上部開口縁に被着するキャップとの間に、作動液の液面に追従するダイヤフラムと、該ダイヤフラムの上部側を覆うダイヤフラムプレートとを介装し、前記キャップとダイヤフラムとダイヤフラムプレートとに挿通した止めねじをリザーバ本体の上部開口縁に螺着することによって、前記キャップとダイヤフラムプレートとダイヤフラムとをリザーバ本体に取り付けたものたあった（例えば、特許文献１参照。）。
【先行技術文献】
【特許文献】
【０００３】
【特許文献１】特開２０１３−１７３４１８号公報
【発明の概要】
【発明が解決しようとする課題】
【０００４】
しかし、上述の特許文献１のものでは、止めねじを螺着する際に、ダイヤフラムに形成された止めねじの挿通孔付近のダイヤフラムにひずみが生じ、ねじの挿通孔が引っ張られて広がり、シール性が低下する虞があった。
【０００５】
そこで本発明は、止めねじを螺着する際に、ダイヤフラムに形成された止めねじの挿通孔の付近にひずみが生じることを防止し、シール性を確保することができるリザーバを提供することを目的としている。
【課題を解決するための手段】
【０００６】
上記目的を達成するため、本発明のリザーバは、リザーバ本体と該リザーバ本体の上部開口縁に被着するキャップとの間に、前記リザーバ本体内の作動液の液面に追従するダイヤフラムと、該ダイヤフラムの上部側を覆うダイヤフラムプレートとを介装し、前記キャップと前記ダイヤフラムプレートと前記ダイヤフラムとに挿通した複数の止めねじを、前記リザーバ本体の前記上部開口縁に螺着することにより、前記リザーバ本体の前記上部開口縁に前記ダイヤフラムと前記ダイヤフラムプレートと前記キャップとを取り付けたリザーバにおいて、前記ダイヤフラムプレートは、外縁部に形成される前記各止めねじの挿通孔と、前記リザーバ本体の内壁の内側に突出し、前記ダイヤフラムの変形をガイドするガイドリブと、該ガイドリブと前記各挿通孔との間に形成され、前記ダイヤフラム側に突出するダイヤフラム押えリブとを備えていることを特徴としている。
【０００７】
また、リザーバ本体と該リザーバ本体の上部開口縁に被着するキャップとの間に、前記リザーバ本体内の作動液の液面に追従するダイヤフラムと、該ダイヤフラムの上部側を覆うダイヤフラムプレートとを介装し、前記キャップと前記ダイヤフラムプレートと前記ダイヤフラムとに挿通した複数の止めねじを、前記リザーバ本体の前記上部開口縁に螺着することにより、前記リザーバ本体の前記上部開口縁に前記ダイヤフラムと前記ダイヤフラムプレートと前記キャップとを取り付けたリザーバにおいて、前記ダイヤフラムプレートは、外縁部に形成される前記各止めねじの挿通孔と、前記リザーバ本体の内壁の内側に突出し、前記ダイヤフラムの変形をガイドするガイドリブと、該ガイドリブと前記各挿通孔との間に形成され、前記ダイヤフラム側に突出する第１のダイヤフラム押えリブと、前記ガイドリブよりも外側で、且つ、隣り合う前記挿通孔の間の一部に形成される単数または複数の第２のダイヤフラム押えリブとを備えていることを特徴としている。
【０００８】
さらに、リザーバ本体と該リザーバ本体の上部開口縁に被着するキャップとの間に、前記リザーバ本体内の作動液の液面に追従するダイヤフラムと、該ダイヤフラムの上部側を覆うダイヤフラムプレートとを介装し、前記キャップと前記ダイヤフラムプレートと前記ダイヤフラムとに挿通した複数の止めねじを、前記リザーバ本体の前記上部開口縁に螺着することにより、前記リザーバ本体の前記上部開口縁に前記ダイヤフラムと前記ダイヤフラムプレートと前記キャップとを取り付けたリザーバにおいて、前記ダイヤフラムプレートは、外縁部に形成される前記各止めねじの挿通孔と、前記リザーバ本体の内壁の形状に沿って該内壁よりも内側に突出し、前記ダイヤフラムの変形をガイドするガイドリブと、該ガイドリブよりも外側に設けられ、前記ダイヤフラム側に突出するダイヤフラム押えリブとを備え、該ダイヤフラム押えリブは、無端状で、且つ、前記外縁部の全体に亘って形成されると共に、前記各挿通孔が設けられた位置では、前記各挿通孔と前記ガイドリブとの間に形成されることを特徴としている。
【０００９】
また、前記ダイヤフラム押えリブは、前記各挿通孔が設けられた位置では、前記挿通孔の湾曲に沿って、前記ダイヤフラムプレートの中央部側に湾曲して形成されると好ましい。さらに、前記ダイヤフラム押えリブの高さ寸法は、前記ガイドリブの高さ寸法よりも短いと好適である。
【発明の効果】
【００１０】
本発明のリザーバによれば、ダイヤフラムプレートは、外縁部に形成される各止めねじの挿通孔と、リザーバ本体の内壁の内側に突出し、ダイヤフラムの変形をガイドするガイドリブと、ガイドリブと各挿通孔との間に形成され、ダイヤフラム側に突出するダイヤフラム押えリブとを備えていることから、ダイヤフラム押えリブによって、ダイヤフラムに形成された止めねじの挿通孔よりもダイヤフラム中央側が、リザーバ本体の上部開口縁側に押圧されることにより、止めねじの螺着時に、ダイヤフラムに形成した止めねじの挿通孔付近のダイヤフラムにひずみが生じることを防止でき、シール性を確保することができる。
【００１１】
また、ダイヤフラムプレートは、外縁部に形成される各止めねじの挿通孔と、リザーバ本体の内壁の内側に突出し、ダイヤフラムの変形をガイドするガイドリブと、ガイドリブと各挿通孔との間に形成され、ダイヤフラム側に突出する第１のダイヤフラム押えリブと、ガイドリブよりも外側で、且つ、隣り合う挿通孔の間の一部に形成される単数または複数の第２のダイヤフラム押えリブとを備えていることから、第１のダイヤフラム押えリブにより、ダイヤフラムに形成された止めねじの挿通孔よりもダイヤフラム中央側が、リザーバ本体の上部開口縁側に押圧されることにより、止めねじの螺着時に、ダイヤフラムに形成した止めねじの挿通孔付近のダイヤフラムにひずみが生じることを防止でき、シール性を確保することができる。さらに、例えば、リザーバ内の気密性のチェックをする際に、リザーバ内に高い内圧が掛かった場合に、止めねじから離れたダイヤフラムの外縁部が、第２のダイヤフラム押えリブによってリザーバ本体側に押圧されることから、シール性が低下する虞がない。
【００１２】
さらに、ダイヤフラムプレートは、外縁部に形成される各止めねじの挿通孔と、リザーバ本体の内壁の形状に沿って該内壁よりも内側に突出し、ダイヤフラムの変形をガイドするガイドリブと、該ガイドリブよりも外側に設けられ、ダイヤフラム側に突出するダイヤフラム押えリブとが形成され、該ダイヤフラム押えリブは、無端状で、且つ、前記外縁部の全体に亘って形成されると共に、各挿通孔が設けられた位置では、各挿通孔とガイドリブとの間に形成されることにより、止めねじの螺着時に、ダイヤフラムに形成した止めねじの挿通孔付近のダイヤフラムにひずみが生じることを防止でき、シール性を確保することができる。また、ダイヤフラムは、ダイヤフラム押えリブによって外縁部全体がリザーバ本体の上部開口縁側に押圧されることから、例えば、リザーバ内の気密性のチェックをする際に、リザーバ内に高い内圧が掛かった場合でも、ダイヤフラム押えリブによって、ダイヤフラムの外縁部全体がリザーバ本体側に押圧され、シール性の低下を確実に防止することができる。
【００１３】
また、ダイヤフラム押えリブは、各挿通孔が設けられた位置では、各挿通孔の湾曲に沿って、ダイヤフラムプレートの中央部側に湾曲して形成されることから、止めねじの螺着時に、ダイヤフラムに形成した止めねじの挿通孔付近のダイヤフラムに、ひずみが生じることを良好に防止できる。さらに、ダイヤフラム押えリブの高さ寸法をガイドリブの高さ寸法よりも短く形成したことにより、ダイヤフラム押えリブでダイヤフラムを傷つけることなく、ダイヤフラムとリザーバ本体の上部開口縁との間の面圧を高めて、シール性の向上を図ることができる。
【図面の簡単な説明】
【００１４】
【図１】図７のＩ−Ｉ断面図である。
【図２】本発明の第１形態例を示すリザーバの要部拡大断面図である。
【図３】本発明の第１形態例を示すダイヤフラムプレートの平面図である。
【図４】同じくダイヤフラムプレートの背面図である。
【図５】図３のＶ−Ｖ断面図である。
【図６】本発明の第１形態例を示すダイヤフラムプレートの斜視図である。
【図７】本発明の第１形態例を示す液圧マスタシリンダ装置の平面図である。
【図８】本発明の第２形態例を示すダイヤフラムプレートの背面図である。
【発明を実施するための形態】
【００１５】
以下、本発明の第１形態例を図１乃至図７に基づいて説明する。図１及び図７に示されるように、バーハンドル車両の車体前部で前輪を操向するハンドルバー１の右側には、液圧マスタシリンダ２と操作レバー３とを組み合わせたフロントブレーキ用の液圧マスタシリンダ装置４が取り付けられている。液圧マスタシリンダ２は、ハンドルバー１に略沿って配置されるシリンダボディ２ａの上部にリザーバ５が一対に取り付けられ、シリンダボディ２ａの一端を開口して設けられた有底のシリンダ孔２ｂには、ピストン２ｃが液密且つ移動可能に内挿されており、操作レバー３の握り操作によってピストン２ｃをシリンダ孔２ｂの底部方向へ押動し、シリンダ孔２ｂの底部に設けられた液圧室２ｄに液圧を発生されるようになっている。
【００１６】
リザーバ５は、作動液を貯留する貯液室５ａを備えたリザーバ本体５ｂと、該リザーバ本体５ｂの上部開口縁５ｃを覆うキャップ６との間に、ダイヤフラムプレート７とダイヤフラム８とを上下に重合し、キャップ６とダイヤフラムプレート７とダイヤフラム８とに挿通した３本の止めねじ９をリザーバ本体５ｂの上面に螺着して、これらをリザーバ本体５ｂに一体に取り付けしている。
【００１７】
シリンダボディ２ａとリザーバ本体５ｂとは、鋳鉄やアルミニウム合金等によって一体に成形されており、シリンダ孔２ｂと貯液室５ａとをリリーフポート１０とサプライポート１１とで連通して、貯液室５ａ内の作動液をシリンダ孔２ｂへ随時補給したり、シリンダ孔２ｂ内の作動液の一部を貯液室５ａへ還流させるようにしている。リザーバ本体５ｂは、ハンドルバー１の軸方向に長い平面視五角形状に形成され、上部開口縁５ｃに、内側に向けて突出する３つのボス部５ｄが所定の間隔で設けられ、各ボス部５ｄに、キャップ取り付け用の雌ねじ孔５ｅが上面に開口してそれぞれ設けられている。また、リザーバ本体５ｂの底部には、リリーフポート１０から作動液が吹き上がることを防止するために、リリーフポート１０及びサプライポート１１の上方を覆うプロテクタ１２が配置されている。
【００１８】
キャップ６は、鋳鉄やアルミニウム合金で、またダイヤフラムプレート７は硬質の合成樹脂で、さらにダイヤフラム８は、合成ゴム等の可撓性材料によって、それぞれリザーバ本体５ｂの上部開口縁５ｃと同一形状となるハンドルバー１の軸方向に長い平面視五角形状に形成されている。キャップ６は、リザーバ本体５ｂの各雌ねじ孔５ｅと同一位置に、テーパ状のざくり面６ａ付きのねじ挿通孔６ｂが穿設されている。
【００１９】
ダイヤフラムプレート７は、中央に通気孔７ａが穿設されると共に、通気孔７ａの周囲にＶ字状の一対の補強用リブ７ｂ，７ｂが貯液室５ａ内に向けて突設され、また、ダイヤフラムプレート７の外縁部７ｃには、リザーバ本体５ｂに形成された雌ねじ孔５ｅに対応する位置に、止めねじ９を挿通させるねじ挿通孔７ｄ（本発明の挿通孔）がそれぞれ形成されている。さらに、前記外縁部７ｃには、リザーバ本体５ｂの内壁の形状に沿って内壁よりも内側に突出し、ダイヤフラム８の変形をガイドするガイドリブ７ｅと、ガイドリブ７ｅよりも外側に設けられ、ダイヤフラム８側に突出するダイヤフラム押えリブ７ｆとが形成されている。ダイヤフラム押えリブ７ｆは、外縁部７ｃの全体に亘って、ガイドリブ７ｅよりも外側に形成され、各ねじ挿通孔７ｄが設けられた位置では、ガイドリブ７ｅとねじ挿通孔７ｄとの間に、ねじ挿通孔７ｄの湾曲に沿って、ダイヤフラムプレート７の中央部側に湾曲して形成されている。また、ダイヤフラム押えリブ７ｆの高さ寸法は、ガイドリブ７ｅの高さ寸法よりも短く形成されている。
【００２０】
ダイヤフラム８は、リザーバ本体５ｂの上部開口縁５ｃに載置される外縁のフランジ部８ａと、該フランジ部８ａの内側に垂設される蛇腹部８ｂと、該蛇腹部８ｂの下端に設けられ、作動液の液面の変化に追従する板状の液面接触部８ｃとが設けられており、フランジ部８ａの前記リザーバ本体５ｂの各雌ねじ孔５ｅと対応する位置に、ねじ挿通孔８ｄがそれぞれ穿設されている。
【００２１】
キャップ６のねじ挿通孔６ｂと、ダイヤフラムプレート７のねじ挿通孔７ｄと、ダイヤフラム８のねじ挿通孔８ｄとは、それぞれ止めねじ９の軸部９ａよりもやや大径に、また止めねじ９の頭部９ｂは、これらねじ挿通孔６ｂ，７ｄ，８ｄより大径の円錐状にそれぞれ形成され、キャップ６とダイヤフラムプレート７とダイヤフラム８とは、これらを上下に重ね合わせ、ねじ挿通孔６ｂ，７ｄ，８ｄを同軸上にセットし、止めねじ９を上方から挿通させ、止めねじ９の雄ねじ部を雌ねじ孔５ｅに螺合させ、キャップ６のざくり面６ａに、止めねじ９の頭部９ｂが当接させることにより、キャップ６とダイヤフラムプレート７とダイヤフラム８とがリザーバ本体５ｂの上部開口縁５ｃに一体に取り付けられる。
【００２２】
本形態例は上述のように形成されることにより、キャップ６とダイヤフラムプレート７とダイヤフラム８とを、リザーバ本体５ｂの上部開口縁５ｃに３本の止めねじ９によって取り付けられる際に、ダイヤフラム８に形成したねじ挿通孔８ｄのダイヤフラム中央側が、ダイヤフラム押えリブ７ｆによって、リザーバ本体５ｂの上部開口縁５ｃ側に押圧されることから、ダイヤフラム８にひずみが生じることを防止でき、シール性を確保することができる。さらに、ダイヤフラム押えリブ７ｆは、ねじ挿通孔７ｄの湾曲に沿って、ダイヤフラムプレート７の中央部側に湾曲して形成されていることにより、ダイヤフラム８のねじ挿通孔８ｄの湾曲に沿って、ダイヤフラム８をリザーバ本体５ｂの上部開口縁５ｃ側に押圧でき、ダイヤフラム８にひずみが生じることをより確実に防止することができる。
【００２３】
また、ダイヤフラムプレート７の外縁部７ｃ全体に亘ってダイヤフラム押えリブ７ｆが形成されていることから、例えば、リザーバ５内の気密性のチェックをする際に、リザーバ５内に高い内圧が掛かった場合でも、ダイヤフラム押えリブ７ｆによって、ダイヤフラム８の外縁部全体がリザーバ本体５ｂの上部開口縁５ｃ側に押圧されることにより、シール性が低下することを確実に防止できる。
【００２４】
図８は、本発明の第２形態例を示すもので、第１形態例と同様の構成要素を示すものには、同一の符号をそれぞれ付して、その詳細な説明は省略する。本形態例のダイヤフラムプレート７は、ガイドリブ７ｅと各ねじ挿通孔７ｄとの間に形成される第１のダイヤフラム押えリブ７ｇと、ガイドリブ７ｅよりも外側で、且つ、隣り合うねじ挿通孔７ｄ，７ｄの間の一部にそれぞれ形成される１本又は２本の第２のダイヤフラム押えリブ７ｈとを備えている。第１のダイヤフラム押えリブ７ｇは、ねじ挿通孔７ｄの湾曲に沿って、ダイヤフラムプレート７の中央部側に湾曲して形成され、第２のダイヤフラム押さえリブ７ｈは、ガイドリブ７ｅの形状に沿って略直線的に形成されている。また、前記第２のダイヤフラム押えリブ７ｈの本数や長さは、上述の形態例に限らず、任意に形成することができる。
【００２５】
尚、本発明は、上述の各形態例に限るものではなく、ダイヤフラムプレートは、ガイドリブと各挿通孔との間にのみダイヤフラム押えリブが形成されたものでも良く、このガイドリブと各挿通孔との間に設けたダイヤフラム押えリブのみでも、ダイヤフラムのひずみを防止することができる。また、ガイドリブと止めねじの各挿通孔との間に形成されるダイヤフラム押えリブは、挿通孔の湾曲に沿って、ダイヤフラムプレートの中央部側に湾曲していなくても良く、直線状に形成されていても良い。さらに、リザーバ本体の開口縁部の形状は、平面視円形，楕円形，矩形等、任意であり、ダイヤフラムプレート、ダイヤフラム及びキャップの外形は、開口縁部の形状に応じて各種形状に形成することができる。また、液圧マスタシリンダは、上述の形態例に限らず、タンデムタイプのものでも良く、シリンダボディの上部に別体のリザーバを設けたものや、リザーバ本体が樹脂で形成されてものでも良い。
【符号の説明】
【００２６】
１…ハンドルバー、２…液圧マスタシリンダ、２ａ…シリンダボディ、２ｂ…シリンダ孔、２ｃ…ピストン、２ｄ…液圧室、３…操作レバー、４…液圧マスタシリンダ装置、５…リザーバ、５ａ…貯液室、５ｂ…リザーバ本体、５ｃ…上部開口縁、５ｄ…ボス部、５ｅ…雌ねじ孔、６…キャップ、６ａ…ざぐり面、６ｂ…ねじ挿通孔、７…ダイヤフラムプレート、７ａ…通気孔、７ｂ…補強リブ、７ｃ…外縁部、７ｄ…ねじ挿通孔、７ｅ…ガイドリブ、７ｆ…ダイヤフラム押えリブ、７ｇ…第１のダイヤフラム押えリブ、７ｈ…第２のダイヤフラム押えリブ、８…ダイヤフラム、８ａ…フランジ部、８ｂ…蛇腹部、８ｃ…液面接触部、８ｄ…ねじ挿通孔、９…止めねじ、９ａ…軸部、９ｂ…頭部、１０…リリーフポート、１１…サプライポート、１２…プロテクタ 
【図１】
2015217904.tif 000003
【図２】
2015217904.tif 000004
【図３】
2015217904.tif 000005
【図４】
2015217904.tif 000006
【図５】
2015217904.tif 000007
【図６】
2015217904.tif 000008
【図７】
2015217904.tif 000009
【図８】
2015217904.tif 000010